(57)【要約】      （修正有）【課題】ゴルフのショットで重要なことは、高い再現性の下で打出し角度と方向を精度良く保つことにある。しかしこの条件を見出す為に、従来は長年の試行錯誤と練習により身体で覚えるため、莫大な時間とお金を投資していた。【解決手段】ドライバー用ティーとアイアン用ティと両者共通の右足踵位置を示すマーカー3が有色の紐4で結ばれている。ボールをティーアップした後に目標方向に紐を合わせ、左手に持った使用クラブのヘッドをボール真後ろに置き、選択した打法に合わせて左足踵位置を決める。その後右足踵をマーカーに合わせて右手でクラブを掴み、この時の前傾姿勢と右手首の角度を変えずにスイング動作に入る。ほぼ全てのショットにおけるボールと足位置の関係が明らかになり、特に初心者には有効な用品である。【選択図】図２
0003101983.tif 000002
【実用新案登録請求の範囲】
【請求項１】
ティーを通す第一のゴム（又はプラスチック）製リングに白もしくは有色の紐の一端を結び、他端には目印となるマーカーを結んだティーアップ用品において、前記紐の中間域にゴム製チューブ等の穴に通してＵ字状の弛みを設け、この弛み区間内に第２のティーを通すゴム（もしくはプラスチック）製リングを装着した事を特徴とするゴルフのティーアップ用品。
【考案の詳細な説明】
【技術分野】
【０００１】      本考案はゴルフのドライバーもしくはアイアンでティーショットする際に使用する用品である。
【背景技術】
【０００２】      従来のティーは地表面からゴルフボールを浮かすために、地面に差し込む支柱部分とボールを乗せるお皿の部分で出来ているが、プレーヤとの相対位置関係を示す物は何も無い。
【考案の開示】
【考案が解決しようとする課題】
【０００３】      解決しようとする課題点はドライバーもしくはアイアンでボールを最適な打出し角度と方向で、しかもクラブヘッドのスウィートエリアでショットする事は初心者にとって困難であった。このために実願２００３−２７１２２１はドライバーのスイングを論理的に解説し、初心者が実戦する際の補助用品としてティーにリボンを付け、ボールとプレーヤの位置関係とショット方向を明確にするものであった。しかしこのリボンには推奨の足位置を印刷するため、プレーヤの身長毎に用意するか又は複数本のマークが１本のリボンに混在していた。
【課題を解決するための手段】
【０００４】      本考案は実願２００３−２７１２２１が持つ課題を解決するもので、ティーを通すゴ厶製リングに有色紐の一旦を結び、他端には金属製マーカーもしくはグリーン保守用のフォークを結び、その中間域にゴム製チューブ等の穴に通してＵ字状の弛みを作る。
【考案の効果】
【０００５】      本考案ではボールを打つ瞬間の合理的なフォームを自然に導くために、プレーヤが構えた歩幅とティーアップの最適な位置関係を明示するもので、しかもドライバーとアイアンを同一の用品で兼用でき、且つ身長の違いによる寸法変更が容易にできる。
【考案を実施するための最良の形態】
【０００６】      ドライバーの打法は実願２００３−２７１２２１に詳しく述べているので、アイアンショットにおける本考案品の実施例を主に紹介する。ボールをティーアップして打つ方向に紐の向きを合せマーカーをティーグラウンドに置く。直立姿勢で自然に垂らす左手（以後  右利き中心に記載）にクラブを持ってヘッドをボール真後ろに置き、左足踵を選択した打法の推奨位置に合せた後に右足踵をマーカーに合わせる。膝を若干曲げてお尻を引き、前屈みになりながら右手を左手先のグリップに持って行き軽く掴む。この前かがみが上半身の前傾姿勢になるため、以後ボールをショットするまで保持する。
左目の焦点をボールに合わせて、右手首の角度と上半身の前傾と頭位置は保ったまま、クラブヘッドを紐に沿ってゆっくりと後方に引き、トップの位置に振上げる直前で腰のより戻しと体重移動の動作に入る。
ボールの打つ瞬間はグリップ位置が飛球線方向に対し、ボール位置よりも前に進んでいる必要がある。そのために体重は左足に乗せて腰中央をボール位置線上よりも左足方向に進めておく。そしてボールをクラブヘッドで叩く時に始めて右手首の溜めを開放し、右手先行でスイングのフォロー段階に入る。【０００７】      アイアンショットには状況に応じて大まかに３種類の打法がある。１つにはバンカーショットであり、残りはフルスイングしてしっかりとボールを飛ばす場合と、グリーン周りでカップ付近にボールを落とす場合である。フルスイングは回転軸ぶれを防ぐ為に両足の歩幅を十分に確保し、ボールは左眼位置の延長線上に置く。一方アプローチショットは精確にクラブヘッドをボールにヒットさせる必要から左足踵接線上にボールを置いて、短いクラブでスイングの誤差を最小限にするものである。【０００８】      フルスイングの時は歩幅を約肩幅にとり、ボール位置は左眼の延長線上に置くことで、頭を動かす事無くスイングを容易にする。従ってスイング中の焦点が定まり、精確なショットが導き出せる。アプローチの時の歩幅は一般に肩幅より一足幅分短くして立つと言われている。ボールは左足踵接線上に置き、最初から左足体重で左眼でボールに焦点を合わせて構える。この二つの打法におけるティアップ位置と右足踵位置までの飛球線方向距離を比較すると、ほぼ同じである事が分かった。【０００９】      本考案品はドライバーとアイアンの２種類のティーと共通の右足踵マーカーがあって、それぞれ身長に合った推奨間隔はＵ字状の弛み調整で可能にする。またアイアンの場合のフルスイングと１００ヤード以下のコントロールショットの右足踵位置は共用できるため、初心者のプレーヤにとって殆どのショットでボールと足位置の関係が明確となる有効な用品である。
【実施例１】
【００１０】      図１はドライバーショットとアイアンショットにおけるプレーヤの左右踵位置とボール位置の関係を比較した図である。【００１１】      図２はドライバー用ティーを通すゴム製リング１とアイアン用ティーを通すゴム製リング２と金属製マーカー３が紐４で結ばれ、中間にＵ字の弛み４−ａを作る為のゴム製チューブ５がセットされたティアップ用品の概観図である。身長差によるティーとマーカー３の長さは、Ｕ字の弛み４−ａを引っ張って紐４−ｂ部の一部を取り込むか，または逆に放出するかで調整する。
本考案の主旨からゴム製チューブの代わりに仮止めのできるプラスチックや金属製の構造体でも良く、また紐の代わりに幅の狭いリボン状でも良い。【００１２】      図３はアイアンのフルショットを正面から見た模式図である。ボールを打つ瞬間は常にクラブシャフトと左腕が正面から見て一直線になり、幾何学的に高い精度の再現性を高めている。またホールの位置は身体の中心から若干飛球線方向にずらして左眼に一番近い所に置き、無用な頭の動きを止めてスイング中の焦点のぶれを少なくしている。
【図面の簡単な説明】
【００１３】
【図１】ドライバー、アイアン各ショットのボールと足位置
【図２】本考案のティアップ用品
【図３】アイアンのフルショット正面図
【符号の説明】
【００１４】１・・・・ドライバー用ティーを通すゴム製リング
２・・・・アイアン用ティーを通すゴム製リング
３・・・・右足踵位置マーカー
４・・・・有色の紐
４−ａ・・有色紐の弛み部分
４−ｂ・・ゴム製チューブからマーカーまでの紐部分
５・・・・ゴム製チューブ
【図１】
0003101983.tif 000003
【図２】
0003101983.tif 000004
【図３】
0003101983.tif 000005
【手続補正書】
【提出日】平成15年11月5日(2003.11.5)
【手続補正１】
【補正対象書類名】明細書
【補正対象項目名】０００６
【補正方法】変更
【補正の内容】
【０００６】      ドライバーの打法は実願２００３−２７１２２１に詳しく述べているので、アイアンショットにおける本考案品の実施例を主に紹介する。ボールをティーアップして打つ方向に紐の向きを合せマーカーをティーグラウンドに置く。体重は両足の親指付け根付近に多く掛けながら直立姿勢で立ち、自然に垂らす左手（以後  右利き中心に記載）にクラブを持ってヘッドをボール真後ろに置き、左足踵を選択した打法の推奨位置に合せた後に右足踵をマーカーと並行に合わせる。膝を若干曲げてお尻を引き、前屈みになりながら右手を左手先のグリップに持って行き軽く掴む。この前かがみが上半身の前傾姿勢になるため、以後ボールをショットするまで頭位置と共に保持する。  左目の焦点をボールに合わせて、右手首の角度と上半身の前傾と頭位置は保ったまま、上半身のバック回転と腰の右足移動に同期してクラブヘッドを後方にゆっくりと引き、一旦右足側に体重を移しトップの位置に振上げる直前で腰の戻し動作に入る。但しテークバックの初動でクラブヘッドを平行に引き過ぎると、右手首に緊張が残りダウンスイングで早く着地する「ダフリ」を起こしやすくする。  クラブの振り下ろしはクラブと腕の自重で降ろす様にし、両手首を使ってクラブ先端に反動を付けて円弧軌跡を大きく膨らませないようにする。膨らむとボールに当たる前に着地する「ダフリ」が起き易くなる。  ボールを打つ瞬間はグリップ位置が飛球線方向に対し、ボール位置よりも前に進んでいる必要がある。そのためには上半身の初期戻しに合わせてクラブを下方に降ろした後、肩・腰の横回転に同期して右腕の曲げを伸ばしながら左グリップ中心の回転モーメントをクラブに与える。両足幅で決まる腰の横移動が止まる頃、両グリップ位置はボール位置よりも先行し両腕は完全に伸びきっている。更に右手首の曲げを開放する様にしてクラブヘッドに加速を付け、ヘッドスピードを最速にしてボールを叩く。ボールをショットする際は左足に過度に体重を移す必要は無く、またショット後しばらく頭を止めておくくらいが安定して良い。  ショット後は右手先行でスイングのフォロー段階に入るが、グリーン周りで数ヤードのアプローチショットは右手首の角度を変えずに振り、フォロースイングも途中で止めて精確な距離・方向を得る打法もある。
【手続補正２】
【補正対象書類名】明細書
【補正対象項目名】００１１
【補正方法】変更
【補正の内容】
【００１１】      図２はドライバー用ティーを通すゴム製リング１とアイアン用ティーを通すゴム製リング２と金属製マーカー３が紐４で結ばれ、中間にＵ字の弛み４−ａを作る為のゴム製チューブ５がセットされたティアップ用品の概観図である。身長差によるティーとマーカー３の長さは、Ｕ字の弛み４−ａを引っ張って紐４−ｂ部の一部を取り込むか，または逆に放出するかで調整する。本考案の主旨からゴム製チューブの代わりに仮止めのできるプラスチックや金属製の構造体でも良く、また紐の代わりに幅の狭いリボン状でも良い。マーカー３には図４に示すリール６を付設して、未使用時には紐４を巻き取ってリールフランジに付けたＶ溝７にドライバー用ティー周辺の紐を固定し、持ち運びを便利にする方法も対応できる。更にはマーカー３の意匠面にはデザインされたシールを貼ったり、グリーン保守用のフォークを付けても良い。
【手続補正３】
【補正対象書類名】明細書
【補正対象項目名】００１３
【補正方法】変更
【補正の内容】
【００１３】【図１】  ドライバー、アイアン各ショットのボールと足位置【図２】  本考案のティーアップ用品【図３】  アイアンのフルショット正面図【図４】  紐巻き取りマーカーの断面図【手続補正４】
【補正対象書類名】明細書
【補正対象項目名】００１４
【補正方法】変更
【補正の内容】
【００１４】          １        ドライバー用ティーを通すゴム製リング          ２        アイアン用ティーを通すゴム製リング          ３        右足踵位置マーカー          ４        有色の紐          ４−ａ    有色紐の弛み部分          ４−ｂ    ゴム製チューブからマーカーまでの紐部分          ５        ゴム製チューブ          ６        紐巻き取り用リール          ７        リールフランジに設けた紐差込用Ｖ溝
【手続補正５】
【補正対象書類名】図面
【補正対象項目名】図４
【補正方法】追加
【補正の内容】
【図４】
0003101983.tif 000006
【手続補正書】
【提出日】平成15年12月16日(2003.12.16)
【手続補正１】
【補正対象書類名】実用新案登録請求の範囲
【補正対象項目名】請求項１
【補正方法】変更
【補正の内容】
【請求項１】
ドライバー用第１のティーを保持するリングに白もしくは有色の紐の一端を結び、他端には目印となるマーカーを結んだティーアップ用品において、前記紐の中間域にゴム製チューブ等の小さい穴に通してＵ字状の弛みを設け、この弛み区間内にアイアン用第２のティーを保持するリングを移動可能に装着した事を特徴とするゴルフのティーアップ用品。
【手続補正２】
【補正対象書類名】明細書
【補正対象項目名】０００４
【補正方法】変更
【補正の内容】
【０００４】  本考案は実願２００３−２７１２２１が持つ課題を解決するもので、ドライバー用第１のティーを保持するゴム又はプラスチック製リングに有色紐の一端を結び、他端には風に飛ばされない程度の重量を持ったマーカーもしくはグリーン保守用のフォークを結び、その中間域にゴム製チューブ等の小さい穴に通してＵ字状の弛みを作り、この区間にアイアン用第２のティーを保持するゴム又はプラスチック製リングを移動可能に装着する。
【手続補正３】
【補正対象書類名】明細書
【補正対象項目名】０００７
【補正方法】変更
【補正の内容】
【０００７】  アイアンショットには状況に応じて大まかに４種類の打法がある。１つにはバンカーショットであり、２つはフルスイングしてしっかりとボールを飛ばすショットと、３つは１００ヤード前後の先を高く上げてピンを直接狙うコントロールショットと、４つは約５０ヤード以下のグリーン周りでカップ付近にボールを転がすアプローチショットである。フルスイングは回転軸ぶれを防ぐ為に両足の歩幅を確保し、腰の移動を使ってショットするためボールは左眼位置の延長線に置く。一方コントロールショットは歩幅を狭めて左足踵接線上にボールを置き、初めから左足に体重を多く乗せてショットする方法で、左足上がりの上り坂でも共通した打法である。５０ヤード以下のアプローチショットはコントロールショットより更に歩幅を狭め、両足踵を結ぶ線はショット方向に対してやや開き、右眼位置線上に置いたボールを、腰の移動と右手首の動きを抑えつつショットする方法で、左足下がりの下り坂でもほぼ共通した打法である。但し打つ距離に応じて歩幅と右手首の動き量を調整する一方、特に急な下り斜面においては打つ前にクラブを空振りして芝面にヘッドが最接近する個所を確認し、その位置付近にボールが来る様に立つ必要がある。
【手続補正４】
【補正対象書類名】明細書
【補正対象項目名】０００８
【補正方法】変更
【補正の内容】
【０００８】  ティーアップしてのアプローチショットは一般的に無いので、ここではティーアップする場合のみ論ずる。アイアンのフルスイングは歩幅を約肩幅にとり、ボール位置は左眼の延長線上に置くことで、頭を動かす事無くスイングを容易にする。１００ヤード前後のコントロールショットの歩幅は一般に肩幅より１足幅分短くして立ち、ボールは左足踵接線上に置いて最初から左足体重で構える。この二つの打法におけるティアップ位置と右足踵位置までの飛球線方向距離はほぼ同じであることが分かった。
【手続補正５】
【補正対象書類名】図面
【補正対象項目名】図１
【補正方法】変更
【補正の内容】
【図１】
0003101983.tif 000007
【手続補正６】
【補正対象書類名】図面
【補正対象項目名】図２
【補正方法】変更
【補正の内容】
【図２】
0003101983.tif 000008